【手続補正書】
【提出日】平成16年7月8日(2004.7.8)
【手続補正１】
【補正対象書類名】明細書
【補正対象項目名】特許請求の範囲
【補正方法】変更
【補正の内容】
【特許請求の範囲】
【請求項１】
画像表示装置においてカラー画像データから色彩を再現する特性を示す色再現特性データを、該画像表示装置により表示された所定の基準画像を解析することによって作成する色再現特性データ作成装置であって、
前記画像表示装置との間で情報をやり取り可能に通信回線を接続する通信回線接続手段と、
前記画像表示装置によって表示された前記基準画像の測色データを、前記通信回線を介して受け取る測色データ受取手段と、
前記受け取った測色データを解析して前記画像表示装置についての前記色再現特性データを作成する色再現特性データ作成手段と
を備える色再現特性データ作成装置。
【請求項２】
請求項１に記載の色再現特性データ作成装置であって、
前記通信回線を介して情報をやり取りすることにより、前記色再現特性データの作成可否を、前記画像表示装置の識別情報に基づいて判断する作成可否判断手段を備え、
前記測色データ受取手段は、前記作成可否判断手段が前記色再現特性データを作成可と判断した場合に、前記基準画像の測色データの前記通信回線を介した受け取りを行なう手段である
色再現特性データ作成装置。
【請求項３】
請求項１または２に記載の色再現特性データ作成装置であって、
前記作成した色再現特性データを、前記通信回線を介して前記画像表示装置に返信する色再現特性データ返信手段を備えている色再現特性データ作成装置。
【請求項４】
前記画像表示装置は、カラー画像を印刷可能なカラープリンタが接続されている請求項１または２に記載の色再現特性データ作成装置。
【請求項５】
前記画像表示装置は、カラー画像を表示可能なカラーモニタが接続されている請求項４に記載の色再現特性データ作成装置。
【請求項６】
請求項２に記載の色再現特性データ作成装置であって、
前記作成可否判断手段は、前記画像表示装置に記憶されている前記識別情報に基づいて作成可否を判断する手段である色再現特性データ作成装置。
【請求項７】
請求項２に記載の色再現特性データ作成装置であって、
前記作成可否判断手段は、前記通信回線を介して前記識別情報を受け取り、該受け取った識別情報に基づいて判断する手段である色再現特性データ作成装置。
【請求項８】
請求項２に記載の色再現特性データ作成装置であって、
前記作成可否判断手段は、前記識別情報に基づいて前記色再現特性データの作成可否を判断するプログラムを前記通信回線を介して前記画像表示装置に供給した後、判断結果を前記通信回線を介して受け取る手段である色再現特性データ作成装置。
【請求項９】
請求項２に記載の色再現特性データ作成装置であって、
前記作成可否判断手段は、
前記識別情報に基づいて前記色再現特性データを作成可と判断した場合に、前記画像表示装置により表示された所定の判定用画像の測色データを取得する判定データ取得手段と、
前記取得した判定データと、前記判定用画像に対応付けて予め記憶されている基準データとの偏差に基づいて、前記色再現特性データの更新要否を判断する更新要否判断手段と
を備え、
前記測色データ受取手段は、前記色再現特性データの更新を要すると判断された場合に、前記基準画像の測色データを受け取る手段である色再現特性データ作成装置。
【請求項１０】
画像表示装置においてカラー画像データから色彩を再現する特性を示す色再現特性データを、該画像表示装置により表示された所定の基準画像を解析することによって作成する色再現特性データの作成方法であって、
前記画像表示装置との間で情報をやり取り可能に通信回線を接続し、
前記画像表示装置によって表示された前記基準画像の測色データを、前記通信回線を介して受け取り、
前記受け取った測色データを解析して前記画像表示装置についての前記色再現特性データを作成する色再現特性データの作成方法。
【請求項１１】
請求項１０に記載の色再現特性データの作成方法であって、
前記通信回線を介して情報をやり取りすることにより、前記色再現特性データの作成可否を、前記画像表示装置の識別情報に基づいて判断し、
該判断において前記色再現特性データを作成可と判断した場合に、前記基準画像の測色データの前記通信回線を介した受け取りを行なう
色再現特性データの作成方法。
【請求項１２】
請求項１０または１１に記載の色再現特性データの作成方法であって、
前記色再現特性データを作成した後、該データを前記通信回線を介して前記画像表示装置に返信する色再現特性データの作成方法。
【請求項１３】
請求項１０または１１に記載の色再現特性データの作成方法であって、
所定の判定用画像についての設計上の測色データである判定基準データを予め記憶しておき、
前記基準画像の測色データを受け取るに先立って、
前記画像表示装置により表示された前記判定用画像の測色データを取得し、
前記取得した測色データと前記判定基準データとの偏差に基づいて、前記色再現特性データの更新要否を判断し、
前記色再現特性データの更新を要すると判断した場合に、前記基準画像の測色データを受け取る色再現特性データの作成方法。
【請求項１４】
画像表示装置においてカラー画像データから色彩を再現する特性を示す色再現特性データを、該画像表示装置により表示された所定の基準画像を解析することによって作成する処理を、コンピュータを用いて実現するプログラムであって、
前記画像表示装置との間で情報をやり取り可能に通信回線を接続する機能と、
前記画像表示装置によって表示された前記基準画像の測色データを、前記通信回線を介して受け取る機能と、
前記受け取った測色データを解析して前記画像表示装置についての前記色再現特性データを作成する機能と
を実現するプログラム。
【請求項１５】
請求項１４に記載のプログラムであって、
前記通信回線を介して情報をやり取りすることにより、前記色再現特性データの作成可否を、前記画像表示装置の識別情報に基づいて判断する機能を備え、
該判断する機能の実行によって前記色再現特性データを作成可と判断された場合に、前記基準画像の測色データを受け取る機能を実現する
プログラム。
【請求項１６】
画像表示装置においてカラー画像データから色彩を再現する特性を示す色再現特性データを、該画像表示装置により表示された所定の基準画像を解析することによって作成する処理を、コンピュータを用いて実現するプログラムをコンピュータで読み取り可能に記録した記録媒体であって、
前記画像表示装置との間で情報をやり取り可能に通信回線を接続する機能と、
前記画像表示装置によって表示された前記基準画像の測色データを、前記通信回線を介して受け取る機能と、
前記受け取った測色データを解析して前記画像表示装置についての前記色再現特性データを作成する機能と
を実現するプログラムを記録した記録媒体。
【請求項１７】
請求項１６に記載の記録媒体であって、
前記通信回線を介して情報をやり取りすることにより、前記色再現特性データの作成可否を、前記画像表示装置に記憶されている識別情報に基づいて判断する機能を実現するプログラムが記録されており、
該判断する機能の実行によって前記色再現特性データを作成可と判断された場合に、前記基準画像の測色データを受け取る機能を実現する
記録媒体。
【手続補正２】
【補正対象書類名】明細書
【補正対象項目名】０００８
【補正方法】変更
【補正の内容】
【０００８】
【課題を解決するための手段およびその作用・効果】
上述の課題の少なくとも一部を解決するため、本発明の色再現特性データ作成装置は、次の構成を採用した。すなわち、
画像表示装置においてカラー画像データから色彩を再現する特性を示す色再現特性データを、該画像表示装置により表示された所定の基準画像を解析することによって作成する色再現特性データ作成装置であって、
前記画像表示装置との間で情報をやり取り可能に通信回線を接続する通信回線接続手段と、
前記画像表示装置によって表示された前記基準画像の測色データを、前記通信回線を介して受け取る測色データ受取手段と、
前記受け取った測色データを解析して前記画像表示装置についての前記色再現特性データを作成する色再現特性データ作成手段と
を備えることを要旨とする。
【手続補正３】
【補正対象書類名】明細書
【補正対象項目名】０００９
【補正方法】変更
【補正の内容】
【０００９】
また、上記の色再現特性データ作成装置に対応する作成方法は、
画像表示装置においてカラー画像データから色彩を再現する特性を示す色再現特性データを、該画像表示装置により表示された所定の基準画像を解析することによって作成する色再現特性データの作成方法であって、
前記画像表示装置との間で情報をやり取り可能に通信回線を接続し、
前記画像表示装置によって表示された前記基準画像の測色データを、前記通信回線を介して受け取り、
前記受け取った測色データを解析して前記画像表示装置についての前記色再現特性データを作成することを要旨とする。
【手続補正４】
【補正対象書類名】明細書
【補正対象項目名】００１０
【補正方法】変更
【補正の内容】
【００１０】
かかる色再現特性データ作成装置および作成方法においては、画像表示装置によって表示された基準画像の測色データを通信回線を介して受け取り、受け取った測色データを解析して画像表示装置についての色再現特性データを作成する。従って、画像表示装置側では基準画像の測色データを通信回線を介して出力するだけで、色再現特性データを簡便に得ることができる。かかる色再現特性データ作成装置および作成方法において、通信回線を介して接続された画像表示装置の識別情報に基づいて色再現特性データの作成可否を判断し、作成可と判断した場合に基準画像の測色データを取得して色再現特性データを作成する構成としてもよい。
【手続補正５】
【補正対象書類名】明細書
【補正対象項目名】００２２
【補正方法】変更
【補正の内容】
【００２２】
また、本発明の色再現特性データの作成方法は、所定の機能を実現するプログラムをコンピュータに読み込ませることで、コンピュータを用いて実現することも可能である。従って、本発明は次のような態様として把握することも可能である。すなわち、本発明の色再現特性データの作成方法に対応するプログラムは、
画像表示装置においてカラー画像データから色彩を再現する特性を示す色再現特性データを、該画像表示装置により表示された所定の基準画像を解析することによって作成する処理を、コンピュータを用いて実現するプログラムであって、
前記画像表示装置との間で情報をやり取り可能に通信回線を接続する機能と、
前記画像表示装置によって表示された前記基準画像の測色データを、前記通信回線を介して受け取る機能と、
前記受け取った測色データを解析して前記画像表示装置についての前記色再現特性データを作成する機能と
を実現することを要旨とする。
上記のプログラムにおいて、前記通信回線を介して情報をやり取りすることにより、前記色再現特性データの作成可否を、前記画像表示装置の識別情報に基づいて判断する機能を備え、該判断する機能の実行によって前記色再現特性データを作成可と判断された場合に、前記基準画像の測色データを受け取る機能を実現する構成を採っても差し支えない。